(57)【要約】【課題】膜部材の初期位置を任意に調整することができる圧力検出器の調整装置を提供する。【解決手段】電磁弁Ｂの閉止により第１区域Ｋ１を閉塞しつつポンプＤを駆動させて第１区域Ｋ１を所定の調整圧力とする第１工程と、電磁弁Ｂの閉止を解除して気相部Ｓ２、第１区域Ｋ１及び第２区域Ｋ２を閉塞する第２工程とを順次実行する制御部Ｅと、第１工程時の第１区域Ｋ１における圧力及び容積と第２工程時の気相部Ｓ２、第１区域Ｋ１及び第２区域Ｋ２における圧力及び容積との関係に基づき、第１工程における調整圧力を取得する調整圧力取得部Ｎとを備え、制御部Ｅは、第１工程として、調整圧力取得部Ｎで取得した調整圧力となるようにポンプＤを駆動させた後、第２工程を実行することにより膜部材Ｍを調整圧力に応じた位置とする圧力検出器Ｓの調整装置である。【選択図】図１
2019124636.tif 000002
【特許請求の範囲】
【請求項１】
液体の流路に接続可能なケースと、
該ケース内に取り付けられ、前記流路の液体を充填し得る液相部と、気体を充填し得る気相部とを区画するとともに、前記液相部に充填された液体の圧力に応じて変位可能な膜部材と、
を具備し、前記気相部の圧力を検出することにより前記流路における液体の圧力を検出する圧力検出器の調整装置であって、
前記気相部と接続可能な接続部が一端に形成されるとともに、他端から気体を導入又は導出可能な配管部と、
前記接続部を介して接続された前記配管部及び気相部における流路に対して当該配管部の他端を介して気体を導入又は導出させるポンプと、
前記配管部の流路における所定位置を閉止可能であり、当該閉止によって前記他端側の第１区域と、前記一端側の第２区域とに前記配管部の流路を区画可能な閉止部と、
前記ポンプ及び閉止部を制御可能であり、前記閉止部の閉止により前記第１区域を閉塞しつつ前記ポンプを駆動させて当該第１区域を所定の調整圧力とする第１工程と、前記閉止部の閉止を解除して前記気相部、第１区域及び第２区域を閉塞する第２工程とを順次実行する制御部と、
前記第１工程時の前記第１区域における圧力及び容積と前記第２工程時の前記気相部、第１区域及び第２区域における圧力及び容積との関係に基づき、前記第１工程における前記調整圧力を取得する調整圧力取得部と、
を備え、前記制御部は、前記第１工程として、前記調整圧力取得部で取得した前記調整圧力となるように前記ポンプを駆動させた後、前記第２工程を実行することにより前記膜部材を前記調整圧力に応じた位置とすることを特徴とする圧力検出器の調整装置。
【請求項２】
前記圧力及び容積の関係は、ボイルシャルルの法則であることを特徴とする請求項１記載の圧力検出器の調整装置。
【請求項３】
前記制御部は、前記ポンプを駆動させて前記気相部に対して気体を導入又は導出することにより前記膜部材を当該気相部の内周壁面、又は前記液相部の内周壁面に密着させる密着工程を実行した後、前記第１工程及び第２工程を順次実行することを特徴とする請求項１又は請求項２記載の圧力検出器の調整装置。
【請求項４】
前記第１区域の圧力を検出する第１圧力検出部を有することを特徴とする請求項１〜３の何れか１つに記載の圧力検出器の調整装置。
【請求項５】
前記第１圧力検出部に加え、前記第２区域の圧力を検出する第２圧力検出部を有することを特徴とする請求項４記載の圧力検出器の調整装置。
【請求項６】
前記ポンプは、前記配管部をその長手方向に扱いて気体を送り出し可能なしごき型ポンプであることを特徴とする請求項１〜５の何れか１つに記載の圧力検出器の調整装置。
【請求項７】
前記調整圧力取得部は、前記第１工程時の前記第１区域における圧力及び容積と前記第２工程時の前記気相部、第１区域及び第２区域における圧力及び容積との関係に基づいて前記調整圧力を算出することを特徴とする請求項１〜６の何れか１つに記載の圧力検出器の調整装置。
【請求項８】
前記調整圧力取得部は、前記第１工程時の前記第１区域における圧力及び容積と前記第２工程時の前記気相部、第１区域及び第２区域における圧力及び容積との関係に基づき、前記第１区域又は第２区域の実際の容量を算出することを特徴とする請求項１〜７の何れか１つに記載の圧力検出器の調整装置。
【発明の詳細な説明】
【技術分野】
【０００１】
本発明は、気相部の圧力を検出することにより流路における液体の圧力を検出し得る圧力検出器の調整装置に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化器）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
従来、血液回路を体外循環する血液の圧力を検出するため、例えば特許文献１にて開示されているように、血液回路に接続可能なケースと、ケース内に取り付けられ、血液回路の血液を充填し得る液相部と、空気を充填し得る気相部とを区画するとともに、液相部に充填された血液の圧力に応じて変位可能なダイヤフラム（膜部材）とを具備し、気相部の圧力を圧力センサにて検出することにより血液の圧力を検出し得る圧力検出器が提案されている。かかる従来の圧力検出器によれば、液相部と気相部とが膜部材にて区画されているため、血液が気相部内の空気に触れてしまうのを回避しつつ血液回路内の血液の圧力を精度よく検出することができる。
【先行技術文献】
【特許文献】
【０００４】
【特許文献１】特表２０１７−５０４３８９号公報
【発明の概要】
【発明が解決しようとする課題】
【０００５】
しかしながら、上記従来の圧力検出器においては、以下のような問題があった。
ケース内にて気相部と液相部とを区画するための膜部材は、液相部の液体の圧力（液圧）に応じて変位する必要があることから柔軟な部材から成るので、使用前の液相部に空気が充填された状態において初期位置が定まらない。したがって、使用前において、膜部材がケースの中央に位置せず、例えば液相部側の壁面に近接していると、測定し得る陰圧（負圧）の幅（測定レンジ）が狭くなってしまい、気相部側の壁面に近接していると、測定し得る陽圧（正圧）の幅（測定レンジ）が狭くなってしまうという問題がある。
【０００６】
また、主に陰圧を測定したい部位に取り付けられる圧力検出器においては、膜部材の初期位置を気相部側の壁面に近接させることにより、陰圧側の測定レンジを広げることができるとともに、陽圧を測定したい部位に取り付けられる圧力検出器においては、膜部材の初期位置を液相部側の壁面に近接させることにより、陽圧側の測定レンジを広げることができるので、圧力検出器を取り付ける部位に応じて膜部材の初期位置を任意に調整したいという要求がある。
【０００７】
本発明は、このような事情に鑑みてなされたもので、膜部材の初期位置を任意に調整することができる圧力検出器の調整装置を提供することにある。
【課題を解決するための手段】
【０００８】
請求項１記載の発明は、液体の流路に接続可能なケースと、該ケース内に取り付けられ、前記流路の液体を充填し得る液相部と、気体を充填し得る気相部とを区画するとともに、前記液相部に充填された液体の圧力に応じて変位可能な膜部材とを具備し、前記気相部の圧力を検出することにより前記流路における液体の圧力を検出する圧力検出器の調整装置であって、前記気相部と接続可能な接続部が一端に形成されるとともに、他端から気体を導入又は導出可能な配管部と、前記接続部を介して接続された前記配管部及び気相部における流路に対して当該配管部の他端を介して気体を導入又は導出させるポンプと、前記配管部の流路における所定位置を閉止可能であり、当該閉止によって前記他端側の第１区域と、前記一端側の第２区域とに前記配管部の流路を区画可能な閉止部と、前記ポンプ及び閉止部を制御可能であり、前記閉止部の閉止により前記第１区域を閉塞しつつ前記ポンプを駆動させて当該第１区域を所定の調整圧力とする第１工程と、前記閉止部の閉止を解除して前記気相部、第１区域及び第２区域を閉塞する第２工程とを順次実行する制御部と、前記第１工程時の前記第１区域における圧力及び容積と前記第２工程時の前記気相部、第１区域及び第２区域における圧力及び容積との関係に基づき、前記第１工程における前記調整圧力を取得する調整圧力取得部とを備え、前記制御部は、前記第１工程として、前記調整圧力取得部で取得した前記調整圧力となるように前記ポンプを駆動させた後、前記第２工程を実行することにより前記膜部材を前記調整圧力に応じた位置とすることを特徴とする。
【０００９】
請求項２記載の発明は、請求項１記載の圧力検出器の調整装置において、前記圧力及び容積の関係は、ボイルシャルルの法則であることを特徴とする。
【００１０】
請求項３記載の発明は、請求項１又は請求項２記載の圧力検出器の調整装置において、前記制御部は、前記ポンプを駆動させて前記気相部に対して気体を導入又は導出することにより前記膜部材を当該気相部の内周壁面、又は前記液相部の内周壁面に密着させる密着工程を実行した後、前記第１工程及び第２工程を順次実行することを特徴とする。
【００１１】
請求項４記載の発明は、請求項１〜３の何れか１つに記載の圧力検出器の調整装置において、前記第１区域の圧力を検出する第１圧力検出部を有することを特徴とする。
【００１２】
請求項５記載の発明は、請求項４記載の圧力検出器の調整装置において、前記第１圧力検出部に加え、前記第２区域の圧力を検出する第２圧力検出部を有することを特徴とする。
【００１３】
請求項６記載の発明は、請求項１〜５の何れか１つに記載の圧力検出器の調整装置において、前記ポンプは、前記配管部をその長手方向に扱いて気体を送り出し可能なしごき型ポンプであることを特徴とする。
【００１４】
請求項７記載の発明は、請求項１〜６の何れか１つに記載の圧力検出器の調整装置において、前記調整圧力取得部は、前記第１工程時の前記第１区域における圧力及び容積と前記第２工程時の前記気相部、第１区域及び第２区域における圧力及び容積との関係に基づいて前記調整圧力を算出することを特徴とする。
【００１５】
請求項８記載の発明は、請求項１〜７の何れか１つに記載の圧力検出器の調整装置において、前記調整圧力取得部は、前記第１工程時の前記第１区域における圧力及び容積と前記第２工程時の前記気相部、第１区域及び第２区域における圧力及び容積との関係に基づき、前記第１区域又は第２区域の実際の容量を算出することを特徴とする。
【発明の効果】
【００１６】
請求項１の発明によれば、ポンプ及び閉止部を制御可能であり、閉止部の閉止により第１区域を閉塞しつつポンプを駆動させて当該第１区域を所定の調整圧力とする第１工程と、閉止部の閉止を解除して気相部、第１区域及び第２区域を閉塞する第２工程とを順次実行する制御部と、第１工程時の第１区域における圧力及び容積と第２工程時の気相部、第１区域及び第２区域における圧力及び容積との関係に基づき、第１工程における調整圧力を取得する調整圧力取得部とを備え、制御部は、第１工程として、調整圧力取得部で取得した調整圧力となるようにポンプを駆動させた後、第２工程を実行することにより膜部材を調整圧力に応じた位置とするので、膜部材の初期位置を任意に調整することができる。
【００１７】
請求項２の発明によれば、圧力及び容積の関係は、ボイルシャルルの法則であるので、比較的平易な演算式にて調整圧力を算出させることができる。
【００１８】
請求項３の発明によれば、制御部は、ポンプを駆動させて気相部に対して気体を導入又は導出することにより膜部材を当該気相部の内周壁面、又は液相部の内周壁面に密着させる密着工程を実行した後、第１工程及び第２工程を順次実行するので、密着工程により膜部材を内周壁面に固定させることができ、その後の第１工程において膜部材が変位してしまうのを防止することができる。
【００１９】
請求項４の発明によれば、第１区域の圧力を検出する第１圧力検出部を有するので、第１圧力検出部にて検出される圧力に基づいて、第１工程時において第１区域を精度よく調整圧力とすることができる。
【００２０】
請求項５の発明によれば、第１圧力検出部に加え、第２区域の圧力を検出する第２圧力検出部を有するので、膜部材の初期位置調整時において第１圧力検出部にて圧力を検出させた後、液体の圧力の検出時において第２圧力検出部にて圧力を検出させることができる。
【００２１】
これにより、閉止部にて配管部を閉止することにより、気相部に連通した空間を第２区域に限定させることができるとともに、その第２区域の圧力を第２圧力検出部で検出することができるので、液体の圧力の検出時、膜部材の変位に応じて素早く圧力変化を検出することができ、応答性を向上させることができる。また、第２区域を閉塞して第２圧力検出部にて液体の圧力を検出することができるので、膜部材の初期位置調整時、第１区域を複数の圧力検出器に亘って共用させることができる。
【００２２】
請求項６の発明によれば、ポンプは、配管部をその長手方向に扱いて気体を送り出し可能なしごき型ポンプであるので、ポンプの停止時に配管部を閉止することができ、第１工程時において第１区域を閉塞する際に別個の閉止部を必要としない。
【００２３】
請求項７の発明によれば、調整圧力取得部は、第１工程時の第１区域における圧力及び容積と第２工程時の気相部、第１区域及び第２区域における圧力及び容積との関係に基づいて調整圧力を算出するので、予めテーブル等を用意する必要がなく、膜部材の初期位置を容易に調整することができる。
【００２４】
請求項８の発明によれば、調整圧力取得部は、第１工程時の第１区域における圧力及び容積と第２工程時の気相部、第１区域及び第２区域における圧力及び容積との関係に基づき、第１区域又は第２区域の実際の容量を算出するので、膜部材を任意の初期位置とする際、第１区域又は第２区域の寸法誤差による影響を軽減することができ、精度を向上させることができる。
【図面の簡単な説明】
【００２５】
【図１】本発明の実施形態に係る圧力検出器の調整装置が適用される透析装置（血液浄化装置）を示す模式図
【図２】同圧力検出器を示す平面図及び側面図
【図３】図２におけるＩＩＩ−ＩＩＩ線断面図
【図４】同圧力検出器の調整装置の概要を示す模式図
【図５】本発明の第１の実施形態に係る圧力検出器の調整装置における制御を示すフローチャート
【図６】同圧力検出器の調整装置における密着工程時の状態を示す模式図
【図７】同密着工程時の膜部材の状態を示す断面模式図
【図８】同圧力検出器の調整装置における密着工程後及び第１工程前の状態を示す模式図
【図９】同圧力検出器の調整装置における第１工程時の状態を示す模式図
【図１０】同圧力検出器の調整装置における第２工程時の状態を示す模式図
【図１１】本発明の第２の実施形態に係る圧力検出器の調整装置における制御を示すフローチャート
【図１２】同圧力検出器の調整装置における密着工程時の状態を示す模式図
【図１３】同密着工程時の膜部材の状態を示す断面模式図
【図１４】同圧力検出器の調整装置における密着工程後及び第１工程前の状態を示す模式図
【図１５】同圧力検出器の調整装置における第１工程時の状態を示す模式図
【図１６】同圧力検出器の調整装置における第２工程時の状態を示す模式図
【図１７】本発明の他の実施形態に係る圧力検出器の調整装置における制御を示すフローチャート
【図１８】同圧力検出器の調整装置における制御で用いられるグラフ
【発明を実施するための形態】
【００２６】
以下、本発明の実施形態について図面を参照しながら具体的に説明する。
第１の実施形態に適用される血液浄化装置は、透析治療を行うための透析装置から成り、図１に示すように、動脈側血液回路１及び静脈側血液回路２から成る血液回路と、動脈側血液回路１の基端及び静脈側血液回路２の基端に接続され、血液回路を流れる血液を浄化するダイアライザ３（血液浄化器）と、血液ポンプ４と、複式ポンプ５と、除水ポンプ６と、圧力検出器Ｓと、配管部Ｋと、ポンプＤと、電磁弁Ｂ（閉止部）と、制御部Ｅと、調整圧力取得部Ｎとを有して構成されている。なお、配管部Ｋ、ポンプＤ、電磁弁Ｂ（閉止部）、制御部Ｅ及び調整圧力取得部Ｎは、本実施形態に係る圧力検出器Ｓの調整装置を構成している。
【００２７】
動脈側血液回路１には、その先端にコネクタｃを介して動脈側穿刺針ａが接続されるとともに、途中にしごき型ポンプから成る血液ポンプ４が配設されている。一方、静脈側血液回路２には、その先端にコネクタｄを介して静脈側穿刺針ｂが接続されており、動脈側穿刺針ａ及び静脈側穿刺針ｂを患者に穿刺した状態で、血液ポンプ４を駆動させると、患者の血液は、動脈側血液回路１を通ってダイアライザ３に至った後、該ダイアライザ３によって血液浄化が施され、静脈側血液回路２を通って患者の体内に戻るようになっている。
【００２８】
すなわち、患者の血液を血液回路の動脈側血液回路１の先端から静脈側血液回路２の先端まで体外循環させつつダイアライザ３にて浄化することにより血液浄化治療が行われるのである。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００２９】
ダイアライザ３は、その筐体部に、血液導入口３ａ（血液導入ポート）、血液導出口３ｂ（血液導出ポート）、透析液導入口３ｃ（透析液流路入口：透析液導入ポート）及び透析液導出口３ｄ（透析液流路出口：透析液導出ポート）が形成されており、このうち血液導入口３ａには動脈側血液回路１の基端が、血液導出口３ｂには静脈側血液回路２の基端がそれぞれ接続されている。また、透析液導入口３ｃ及び透析液導出口３ｄは、透析装置本体から延設された透析液導入ラインＬａ及び透析液排出ラインＬｂにそれぞれ接続されている。
【００３０】
ダイアライザ３内には、複数の中空糸（不図示）が収容されており、この中空糸が血液を浄化するための血液浄化膜を構成している。而して、ダイアライザ３内には、血液浄化膜を介して患者の血液が流れる血液流路（血液導入口３ａと血液導出口３ｂとの間の流路）及び透析液が流れる透析液流路（透析液導入口３ｃと透析液導出口３ｄとの間の流路）が形成されている。そして、血液浄化膜を構成する中空糸には、その外周面と内周面とを貫通した微小な孔（ポア）が多数形成されて中空糸膜を形成しており、該膜を介して血液中の不純物等が透析液内に透過し得るよう構成されている。
【００３１】
複式ポンプ５は、透析装置本体内で透析液導入ラインＬａ及び透析液排出ラインＬｂに跨って配設されているとともに、透析液排出ラインＬｂにおける複式ポンプ５をバイパスするバイパスラインＬｃには、ダイアライザ３中を流れる患者の血液から水分を除去するための除水ポンプ６が配設されている。なお、透析液導入ラインＬａの一端は、ダイアライザ３（透析液導入口３ｃ）に接続されるとともに、他端が所定濃度の透析液を調製する透析液供給装置（不図示）に接続されている。また、透析液排出ラインＬｂの一端は、ダイアライザ３（透析液導出口３ｄ）に接続されるとともに、他端が図示しない排液手段と接続されており、透析液供給装置から供給された透析液が透析液導入ラインＬａを通ってダイアライザ３に至った後、透析液排出ラインＬｂを通って排液手段に送られるようになっている。
【００３２】
ここで、本実施形態に適用される血液回路には、圧力検出器Ｓが接続されている。かかる圧力検出器Ｓは、動脈側血液回路１における先端（コネクタｃ）と血液ポンプ４との配設部位との間の位置、血液ポンプ４とダイアライザ３との間の位置、静脈側血液回路２における先端（コネクタｄ）とダイアライザ３の配設位置との間の位置にそれぞれ接続され、当該動脈側血液回路１及び静脈側血液回路２を流れる血液の圧力を検出し得るよう構成されている。
【００３３】
具体的には、圧力検出器Ｓは、図２、３に示すように、液体の流路Ｒ（本実施形態においては、動脈側血液回路１又は静脈側血液回路２に相当）に接続可能なケースＣと、ケースＣ内に取り付けられ、流路の液体（本実施形態においては、動脈側血液回路１又は静脈側血液回路２の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出部（第１圧力検出部Ｐ１又は第２圧力検出部Ｐ２）で検出することにより流路Ｒ（動脈側血液回路１又は静脈側血液回路２）における液体の圧力を検出し得るようになっている。
【００３４】
ケースＣは、所定の樹脂材等を成形して得られた中空状成形部品から成り、液体の流路Ｒと接続可能とされて液相部Ｓ１と連通させ得る接続ポートＣ１、Ｃ２が一体形成されるとともに、後述する配管部Ｋの一端Ｋａ（図４参照）と接続可能とされて気相部Ｓ２と連通させ得る接続ポートＣ３が一体形成されている。かかるケースＣの内部形成された空間は、膜部材Ｍによって液相部Ｓ１及び気相部Ｓ２に区画（画成）されている。膜部材Ｍは、ケースＣ内に取り付けられたダイヤフラムから成り、液相部Ｓ１又は気相部Ｓ２の圧力変化に追従して変位又は変形可能な柔軟な材料にて形成されている。
【００３５】
しかるに、本実施形態においては、血液回路の所望位置に接続されたそれぞれの圧力検出器Ｓにおける膜部材Ｍの初期位置を調整するための調整装置を有している。かかる圧力検出器Ｓの調整装置は、配管部Ｋと、ポンプＤと、閉止部としての電磁弁Ｂと、第１圧力検出部Ｐ１（または第２圧力検出部Ｐ２）と、制御部Ｅと、調整圧力取得部Ｎとを有して構成されている。
【００３６】
配管部Ｋは、空気の流通が可能なチューブ等の流路から成り、図４に示すように、ケースＣの気相部Ｓ２と接続して連通可能な接続部Ｋａが一端に形成されるとともに、大気開放された大気開放部Ｋｂが他端に形成されている。本実施形態で用いられる配管部Ｋは、内部の圧力変化によって変形し難い硬質樹脂等から成るものが好ましい。ポンプＤは、配管部Ｋをその長手方向に扱くことによって空気を送り出し可能なしごき型ポンプから成り、配管部Ｋの大気開放部Ｋｂに近接した位置に配設されるとともに、駆動によって配管部Ｋ及び気相部Ｓ２に対して大気開放部Ｋｂ（他端）を介して空気を導入又は導出させ得るよう構成されている。
【００３７】
また、配管部Ｋにおける接続部ＫａとポンプＤの配設部位との間には、閉止部としての電磁弁Ｂが取り付けられている。かかる電磁弁Ｂ（閉止部）は、配管部Ｋの流路における所定位置を任意に閉止可能とされ、当該閉止によって大気開放部Ｋｂ側（他端側）の第１区域Ｋ１と、接続部Ｋａ側（一端側）の第２区域Ｋ２とに配管部Ｋの流路を区画（画成）可能なものである。すなわち、ポンプＤが停止してその部位を閉止した状態において、電磁弁Ｂを駆動させて流路を閉止させると、第１区域Ｋ１と気相部Ｓ２及び第２区域Ｋ２とを区画してそれぞれを閉塞（密閉状態）することができるのである。なお、配管部ＫにおけるポンプＤの配設部位と大気開放部Ｋｂとの間には、電磁弁等の他の閉止部Ａが取り付けられているが、かかる閉止部Ａが配設されないものとしてもよい。また、電磁弁Ｂに代えて他の閉止手段（クランプ手段等）としてもよい。
【００３８】
第１圧力検出部Ｐ１は、第１区域Ｋ１の所定位置に取り付けられて、少なくとも当該第１区域Ｋ１の圧力（第１区域Ｋ１及びそれと連通した空間の圧力）を検出し得る圧力センサから成るとともに、第２圧力検出部Ｐ２は、第２区域Ｋ２の所定位置に取り付けられて、少なくとも当該第２区域Ｋ２（第２区域Ｋ２及びそれと連通した空間の圧力）の圧力を検出し得る圧力センサから成る。
【００３９】
制御部Ｅは、ポンプＤ及び電磁弁Ｂ（閉止部）を制御可能なマイコン等から成り、電磁弁Ｂの閉止により第１区域Ｋ１を閉塞状態としつつポンプＤを逆回転駆動（図９のβ方向の回転駆動）させて当該第１区域Ｋ１を所定の調整圧力とする第１工程（図９参照）と、ポンプＤを停止させつつ電磁弁Ｂの閉止を解除して気相部Ｓ２、第１区域Ｋ１及び第２区域Ｋ２を閉塞状態とする第２工程（図１０参照）とを順次実行するものである。
【００４０】
調整圧力取得部Ｎは、第１工程時の第１区域Ｋ１における圧力及び容積と第２工程時の気相部Ｓ２、第１区域Ｋ１及び第２区域Ｋ２における圧力及び容積との関係に基づき、膜部材Ｍを任意の初期位置とするための第１工程における調整圧力を取得するもので、例えばマイコン等の演算部から成る。また、本実施形態に係る調整圧力取得部Ｎにおいては、圧力及び容積の関係として、ボイルシャルルの法則（combined gas law）（理想気体の体積、圧力及び温度に関する法則）、特にボイルの法則（温度一定の条件下では圧力と体積が反比例する）に基づく関係が用いられる。
【００４１】
ここで、本実施形態に係る制御部Ｅは、第１工程として、調整圧力取得部Ｎで取得（算出）された調整圧力となるようにポンプＤを駆動させ、第２工程を行わせることにより膜部材Ｍを任意の初期位置とし得るようになっている。すなわち、第１工程時、電磁弁Ｂの閉止により第１区域Ｋ１を閉塞状態としつつポンプＤを逆回転駆動（図９のβ方向の回転駆動）させる際、当該第１区域Ｋ１を調整圧力取得部Ｎで取得（算出）された調整圧力に達するまで蓄圧を行わせ、その後、第２工程にてポンプＤを停止させつつ電磁弁Ｂの閉止を解除して気相部Ｓ２、第１区域Ｋ１及び第２区域Ｋ２を閉塞状態とすることにより、膜部材Ｍを任意の位置（初期位置）とすることができるのである。
【００４２】
また、本実施形態に係る制御部Ｅは、図６に示すように、ポンプＤを正回転駆動（同図のα方向の回転駆動）させて気相部Ｓ２に対して空気を導出（すなわち、気相部Ｓ２を含む空間の空気を大気開放部Ｋｂから排出）することにより膜部材Ｍを当該気相部Ｓ２の内周壁面に密着（図７参照）させる密着工程を実行した後、第１工程及び第２工程を順次実行するようになっている。
【００４３】
次に、第１の実施形態に係る圧力検出器Ｓの調整装置における制御部Ｅの制御について、図５のフローチャートに基づいて説明する。
先ず、血液回路の所望位置に接続されたそれぞれの圧力検出器Ｓの接続ポートＣ３に配管部Ｋの一端（接続部Ｋａ）を接続させる。なお、本実施形態においては、閉止部Ａを開状態にて維持するとともに、動脈側血液回路１の先端（コネクタｃ）及び静脈側血液回路２の先端（コネクタｄ）は、穿刺針（ａ、ｂ）が取り付けられておらず、大気開放状態とされている。よって、圧力検出器Ｓの調整時においては、気相部Ｓ２と同様、液相部Ｓ１に空気が充填されている。
【００４４】
そして、図６に示すように、電磁弁Ｂを開状態として（Ｓ１）、ポンプＤを正回転駆動（α方向の回転駆動）させる（Ｓ２）ことにより、図７に示すように、気相部Ｓ２に対して空気を導出して膜部材Ｍを当該気相部Ｓ２の内周壁面に密着させる（密着工程）。かかるポンプＤの駆動により、第１圧力検出部Ｐ１（又は第２圧力検出部Ｐ２）で検出される値が所定圧力（この場合、真空に近い所定の陰圧）に達したか否か判定され（Ｓ３）、所定圧力に達したと判定されると、Ｓ４に進む。
【００４５】
Ｓ４においては、図８に示すように、ポンプＤを停止させるとともに、電磁弁Ｂを閉状態として流路を閉止することにより、気相部Ｓ２及び第２区域Ｋ２が成す空間と、第１区域Ｋ１の空間とをそれぞれ閉塞状態とする。その後、調整圧力取得部Ｎにより調整圧力が算出される（Ｓ５）。この調整圧力は、その後行われる予定の第１工程（Ｓ６、Ｓ７）及び第２工程（Ｓ８）を順次行ったとき、第１工程時の第１区域Ｋ１における圧力及び容積と第２工程時の気相部Ｓ２、第１区域Ｋ１及び第２区域Ｋ２における圧力及び容積との関係（ボイルシャルルの法則に基づく関係）に基づき、膜部材Ｍを任意の初期位置とするための値である。
【００４６】
すなわち、調整圧力は、ボイルシャルルの法則（但し、温度Ｔは一定である故、ボイルの法則となる）により、以下の演算式により求めることができる。
（演算式１）
Ｐｔ＝（（ＶＰ＋ＶＣ＋ＶＬ）／ＶＬ）×ＰＭ
（但し、Ｐｔは第１工程における目標圧力である調整圧力、ＰＭは膜部材Ｍが任意の初期位置にあるときの液相部Ｓ１の圧力（本実施形態においては血液回路の先端が大気開放のため１気圧（７６０ｍｍＨｇ））、ＶＰは膜部材Ｍが初期位置にあるときの気相部Ｓ２の容積、ＶＣは第２区域Ｋ２の容積、ＶＬは第１区域Ｋ１の容積を示す。）
【００４７】
なお、本実施形態においては、動脈側血液回路１の先端（コネクタｃ）及び静脈側血液回路２の先端（コネクタｄ）が大気開放されているため、上述の如く、Ｐｍに１気圧（７６０ｍｍＨｇ）が入力されている。この大気圧は、本調整装置の設置環境（例えば海抜高度、気象等）に応じて変動するため、固定値（７６０ｍｍＨｇ）ではなく、設置環境に応じた値をＰｍとして入力することによって、膜部材Ｍの初期位置をより正確に調整することができる。
【００４８】
その後、図９で示すように、電磁弁Ｂの閉状態を維持しつつポンプＤを逆回転駆動（β方向の回転駆動）させる（Ｓ６）ことにより、閉塞状態の第１区域Ｋ１に空気を外部から導入させる（第１工程）。かかるポンプＤの駆動により、第１区域Ｋ１に対する蓄圧が行われるとともに、第１圧力検出部Ｐ１で検出される値が調整圧力取得部Ｎで予め算出された調整圧力に達したか否か判定され（Ｓ７）、調整圧力に達したと判定されると、Ｓ８（第２工程）に進む。
【００４９】
Ｓ８においては、図１０に示すように、ポンプＤを停止させるとともに、電磁弁Ｂを開状態として流路の閉止を解除することにより、気相部Ｓ２、第２区域Ｋ２及び第１区域Ｋ１が成す空間を閉塞状態とする（第２工程）。これにより、第１工程で第１区域Ｋ１に蓄圧された空気が気相部Ｓ２に送られることとなり、膜部材Ｍを任意の初期位置（演算式１にて目標とされた位置）とすることができる。
【００５０】
以上により、圧力検出器Ｓの膜部材Ｍを任意の初期位置とすることができるので、動脈側血液回路１の先端及び静脈側血液回路２の先端にそれぞれ穿刺針（ａ、ｂ）を取り付けて患者に穿刺した後、血液ポンプ４を駆動させることにより、血液回路による体外循環（脱血）が行われて所望の血液浄化治療が行われることとなる。かかる血液の体外循環時、電磁弁Ｂ（閉止部）を閉状態として第２区域Ｋ２を第１区域Ｋ１に対して閉止させることにより、第２圧力検出部Ｐ２によって血液回路の血液の圧力を検出させることができる。
【００５１】
次に、本発明に係る第２の実施形態について説明する。
本実施形態に適用される血液浄化装置は、第１の実施形態と同様、透析治療を行うための透析装置から成り、図１に示すように、動脈側血液回路１及び静脈側血液回路２から成る血液回路と、動脈側血液回路１の基端及び静脈側血液回路２の基端に接続され、血液回路を流れる血液を浄化するダイアライザ３（血液浄化器）と、血液ポンプ４と、複式ポンプ５と、除水ポンプ６と、圧力検出器Ｓと、配管部Ｋと、ポンプＤと、電磁弁Ｂ（閉止部）と、制御部Ｅと、調整圧力取得部Ｎとを有して構成されている。なお、配管部Ｋ、ポンプＤ、電磁弁Ｂ（閉止部）、制御部Ｅ及び調整圧力取得部Ｎは、本実施形態に係る圧力検出器Ｓの調整装置を構成するもので、第１の実施形態と同様の構成である。しかるに、第１の実施形態と同様の構成については、詳細な説明を省略する。
【００５２】
本実施形態に係る制御部Ｅは、ポンプＤ及び電磁弁Ｂ（閉止部）を制御可能なマイコン等から成り、電磁弁Ｂの閉止により第１区域Ｋ１を閉塞状態としつつポンプＤを正回転駆動（図１５のα方向の回転駆動）させて当該第１区域Ｋ１を所定の調整圧力とする第１工程（図１５参照）と、ポンプＤを停止させつつ電磁弁Ｂの閉止を解除して気相部Ｓ２、第１区域Ｋ１及び第２区域Ｋ２を閉塞状態とする第２工程（図１６参照）とを順次実行するものである。
【００５３】
本実施形態に係る調整圧力取得部Ｎは、第１工程時の第１区域Ｋ１における圧力及び容積と第２工程時の気相部Ｓ２、第１区域Ｋ１及び第２区域Ｋ２における圧力及び容積との関係に基づき、膜部材Ｍを任意の初期位置とするための第１工程における調整圧力を取得（算出）し得るもので、例えばマイコン等の演算部から成る。また、本実施形態に係る調整圧力取得部Ｎにおいては、圧力及び容積の関係として、ボイルシャルルの法則（combined gas law）（理想気体の体積、圧力及び温度に関する法則）、特にボイルの法則（温度一定の条件下では圧力と体積が反比例する）に基づく関係が用いられる。
【００５４】
ここで、本実施形態に係る制御部Ｅは、第１工程として、調整圧力取得部Ｎで算出された調整圧力となるようにポンプＤを駆動させ、第２工程を行わせることにより膜部材Ｍを任意の初期位置とし得るようになっている。すなわち、第１工程時、電磁弁Ｂの閉止により第１区域Ｋ１を閉塞状態としつつポンプＤを正回転駆動（図１５のα方向の回転駆動）させる際、当該第１区域Ｋ１を調整圧力取得部Ｎで算出された調整圧力に達するまで減圧を行わせ、その後、第２工程にてポンプＤを停止させつつ電磁弁Ｂの閉止を解除して気相部Ｓ２、第１区域Ｋ１及び第２区域Ｋ２を閉塞状態とすることにより、膜部材Ｍを任意の位置（初期位置）とすることができるのである。
【００５５】
また、本実施形態に係る制御部Ｅは、図１２に示すように、ポンプＤを逆回転駆動（同図のβ方向の回転駆動）させて気相部Ｓ２に対して空気を導入（すなわち、気相部Ｓ２を含む空間に大気開放部Ｋｂから空気を吸入）することにより膜部材Ｍを液相部Ｓ１の内周壁面に密着（図１３参照）させる密着工程を実行した後、第１工程及び第２工程を順次実行するようになっている。
【００５６】
次に、第２の実施形態に係る圧力検出器Ｓの調整装置における制御部Ｅの制御について、図１１のフローチャートに基づいて説明する。
先ず、血液回路の所望位置に接続されたそれぞれの圧力検出器Ｓの接続ポートＣ３に配管部Ｋの一端（接続部Ｋａ）を接続させる。なお、本実施形態においては、閉止部Ａを開状態にて維持するとともに、動脈側血液回路１の先端（コネクタｃ）及び静脈側血液回路２の先端（コネクタｄ）は、穿刺針（ａ、ｂ）が取り付けられておらず、大気開放状態とされている。よって、圧力検出器Ｓの調整時においては、気相部Ｓ２と同様、液相部Ｓ１に空気が充填されている。
【００５７】
そして、図１２に示すように、電磁弁Ｂを開状態として（Ｓ１）、ポンプＤを逆回転駆動（β方向の回転駆動）させる（Ｓ２）ことにより、図１３に示すように、気相部Ｓ２に対して空気を導入して膜部材Ｍを液相部Ｓ１の内周壁面に密着させる（密着工程）。かかるポンプＤの駆動により、第１圧力検出部Ｐ１（または第２圧力検出部Ｐ２）で検出される値が所定圧力（この場合、所定の陽圧）に達したか否か判定され（Ｓ３）、所定圧力に達したと判定されると、Ｓ４に進む。
【００５８】
Ｓ４においては、図１４に示すように、ポンプＤを停止させるとともに、電磁弁Ｂを閉状態として流路を閉止することにより、気相部Ｓ２及び第２区域Ｋ２が成す空間と、第１区域Ｋ１の空間とをそれぞれ閉塞状態とする。その後、調整圧力取得部Ｎにより調整圧力が算出される（Ｓ５）。この調整圧力は、その後行われる予定の第１工程（Ｓ６、Ｓ７）及び第２工程（Ｓ８）を順次行ったとき、第１工程時の第１区域Ｋ１における圧力及び容積と第２工程時の気相部Ｓ２、第１区域Ｋ１及び第２区域Ｋ２における圧力及び容積との関係（ボイルシャルルの法則に基づく関係）に基づき、膜部材Ｍを任意の初期位置とするための値である。
【００５９】
すなわち、調整圧力は、ボイルシャルルの法則（但し、温度Ｔは一定である故、ボイルの法則となる）により、以下の演算式により求めることができる。
（演算式２）
Ｐｔ＝（（ＶＰ＋ＶＣ＋ＶＬ）×ＰＭ−（ＶＰＯＤ＋ＶＣ）×ＰＰ）／ＶＬ
（但し、Ｐｔは第１工程における目標圧力である調整圧力、ＰＭは膜部材Ｍが任意の初期位置にあるときの液相部Ｓ１の圧力（本実施形態においては血液回路の先端が大気開放のため１気圧（７６０ｍｍＨｇ））、ＶＰは膜部材Ｍが初期位置にあるときの気相部Ｓ２の容積、ＶＣは第２区域Ｋ２の容積、ＶＬは第１区域Ｋ１の容積、ＶＰＯＤは気相部及び液相部の合計容量、ＰＰは、膜部材Ｍを液相部Ｓ１の内周壁面に密着させたときの第１圧力検出部Ｐ１で検出された圧力（Ｓ３の所定圧力）を示す。）
【００６０】
その後、図１５で示すように、電磁弁Ｂの閉状態を維持しつつポンプＤを正回転駆動（α方向の回転駆動）させる（Ｓ６）ことにより、閉塞状態の第１区域Ｋ１の空気を外部に導出させる（第１工程）。かかるポンプＤの駆動により、第１区域Ｋ１に対する減圧が行われるとともに、第１圧力検出部Ｐ１で検出される値が調整圧力取得部Ｎで予め算出された調整圧力に達したか否か判定され（Ｓ７）、調整圧力に達したと判定されると、Ｓ８（第２工程）に進む。
【００６１】
Ｓ８においては、図１６に示すように、ポンプＤを停止させるとともに、電磁弁Ｂを開状態として流路の閉止を解除することにより、気相部Ｓ２、第２区域Ｋ２及び第１区域Ｋ１が成す空間を閉塞状態とする（第２工程）。これにより、第１工程で減圧された第１区域Ｋ１に気相部Ｓ２及び第２区域Ｋ２の空気が送られることとなり、膜部材Ｍを任意の初期位置（演算式２にて目標とされた位置）とすることができる。
【００６２】
以上により、圧力検出器Ｓの膜部材Ｍを任意の初期位置とすることができるので、動脈側血液回路１の先端及び静脈側血液回路２の先端にそれぞれ穿刺針（ａ、ｂ）を取り付けて患者に穿刺した後、血液ポンプ４を駆動させることにより、血液回路による体外循環（脱血）が行われて所望の血液浄化治療が行われることとなる。かかる血液の体外循環時、電磁弁Ｂ（閉止部）を閉状態として第２区域Ｋ２を第１区域Ｋ１に対して閉止させることにより、第２圧力検出部Ｐ２によって血液回路の血液の圧力を検出させることができる。
【００６３】
上記第１の実施形態及び第２の実施形態によれば、ポンプＤ及び電磁弁Ｂ（閉止部）を制御可能であり、電磁弁Ｂの閉止により第１区域Ｋ１を閉塞しつつポンプＤを駆動させて当該第１区域Ｋ１を所定の調整圧力とする第１工程と、電磁弁Ｂの閉止を解除して気相部Ｓ２、第１区域Ｋ１及び第２区域Ｋ２を閉塞する第２工程とを順次実行する制御部Ｅと、第１工程時の第１区域Ｋ１における圧力及び容積と第２工程時の気相部Ｓ２、第１区域Ｋ１及び第２区域Ｋ２における圧力及び容積との関係に基づき、膜部材Ｍを任意の初期位置とするための第１工程における調整圧力を取得する調整圧力取得部Ｎとを具備するとともに、制御部Ｅは、第１工程として、調整圧力取得部Ｅで算出された調整圧力となるようにポンプＤを駆動させた後、第２工程を実行することにより膜部材Ｍを任意の初期位置とし得るので、膜部材Ｍの初期位置を任意に調整することができる。
【００６４】
特に、圧力及び容積の関係は、ボイルシャルルの法則（ボイルの法則）に基づく関係であるので、比較的平易な演算式にて調整圧力を算出させることができる。なお、温度変化が激しい環境下で膜部材Ｍの初期位置を調整する場合、温度Ｔを演算式のパラメータとするのが好ましい。さらに、本実施形態に係る制御部Ｅは、ポンプＤを駆動させて気相部Ｓ２に対して空気を導入又は導出することにより膜部材Ｍを当該気相部Ｓ２の内周壁面、又は液相部Ｓ１の内周壁面に密着させる密着工程を実行した後、第１工程及び第２工程を順次実行するので、密着工程により膜部材Ｍを内周壁面に固定させることができ、その後の第１工程において膜部材Ｍが変位してしまうのを防止することができる。
【００６５】
加えて、本実施形態においては、調整圧力取得部Ｎは、第１工程時の第１区域Ｋ１における圧力及び容積と第２工程時の気相部Ｓ２、第１区域Ｋ１及び第２区域Ｋ２における圧力及び容積との関係に基づいて調整圧力を算出するので、予めテーブル等を用意する必要がなく、膜部材Ｍの初期位置を容易に調整することができる。なお、本実施形態に係る調整圧力取得部Ｎは、第１区域Ｋ１及び第２区域Ｋ２における圧力及び容積との関係に基づいて調整圧力を算出しているが、予め用意したテーブル等を参照して調整圧力を取得するようにしてもよい。
【００６６】
また、第１区域Ｋ１の圧力を検出する第１圧力検出部Ｐ１を有するので、第１圧力検出部Ｐ１にて検出される圧力に基づいて、第１工程時において第１区域Ｋ１を精度よく調整圧力とすることができる。またさらに、本実施形態においては、第１区域Ｋ１の圧力を検出し得る第１圧力検出部Ｐ１に加え、第２区域Ｋ２の圧力を検出し得る第２圧力検出部Ｐ２を有するので、膜部材Ｍの初期位置調整時において第１圧力検出部Ｐ１にて圧力を検出させた後、血液（液体）の圧力の検出時において第２圧力検出部Ｐ２にて圧力を検出させることができる。
【００６７】
これにより、電磁弁Ｂにて配管部Ｋを閉止することにより、気相部Ｓ２に連通した空間を第２区域Ｋ２に限定させることができるとともに、その第２区域Ｋ２の圧力を第２圧力検出部Ｐ２で検出することができるので、血液（液体）の圧力の検出時、膜部材Ｍの変位に応じて素早く圧力変化を検出することができ、応答性を向上させることができる。また、第２区域Ｋ２を閉塞状態として第２圧力検出部Ｐ２にて血液（液体）の圧力を検出することができるので、膜部材Ｍの初期位置調整時、第１区域Ｋ１を複数の圧力検出器Ｓに亘って共用させることができる。
【００６８】
しかるに、第１圧力検出部Ｐ１により、膜部材Ｍの初期位置調整時における第１区域Ｋ１の圧力検出と、治療時における第１区域Ｋ１の血液の圧力検出との両方を行わせるようにしてもよい。この場合、第１圧力検出部Ｐ１によって初期位置調整時の圧力検出及び血液の圧力検出を共用できるので、第２圧力検出部Ｐ２を不要とすることができ、部品点数の削減及びコストの低減を図ることができる。
【００６９】
また、本実施形態に係るポンプＤは、配管部Ｋをその長手方向に扱いて空気を送り出し可能なしごき型ポンプから成るので、ポンプＤの停止時に配管部Ｋを閉止することができ、第１工程時において第１区域Ｋ１を閉塞状態とする際に別個の閉止部を必要としない。なお、しごき型ポンプから成るポンプＤに代えて他のポンプ（例えば、シリンジポンプ等）とすることができ、その場合、大気開放部Ｋｂに近接した位置に設けられた別個の閉止（本実施形態においては、閉止部Ａ）を用いることができる。
【００７０】
次に、本発明の他の実施形態について説明する。
本実施形態は、上記第１の実施形態又は第２の実施形態における膜部材Ｍの初期位置設定より前に行われるものであり、当該初期位置設定（密着工程、第１工程、第２工程等）が実行されることを前提としている。すなわち、本実施形態に係る調整圧力取得部Ｎは、第１工程時の第１区域Ｋ１における圧力及び容積と第２工程時の気相部Ｓ２、第１区域Ｋ１及び第２区域Ｋ２における圧力及び容積との関係に基づき、第１区域Ｋ１又は第２区域Ｋ２の実際の容量を算出し得るようになっている。
【００７１】
本実施形態における具体的な制御について、図１７のフローチャートに基づいて説明する。なお、必要に応じて、第１の実施形態等で用いられた図面を流用する。
先ず、血液回路の所望位置に接続されたそれぞれの圧力検出器Ｓの接続ポートＣ３に配管部Ｋの一端（接続部Ｋａ）を接続させる。なお、本実施形態においては、閉止部Ａを開状態にて維持するとともに、動脈側血液回路１の先端（コネクタｃ）及び静脈側血液回路２の先端（コネクタｄ）は、穿刺針（ａ、ｂ）が取り付けられておらず、大気開放状態とされている。
【００７２】
そして、図６に示すように、電磁弁Ｂを開状態として（Ｓ１）、ポンプＤを正回転駆動（α方向の回転駆動）させる（Ｓ２）ことにより、図７に示すように、気相部Ｓ２に対して空気を導出して膜部材Ｍを当該気相部Ｓ２の内周壁面に密着させる。かかるポンプＤの駆動により、第１圧力検出部Ｐ１（または第２圧力検出部Ｐ２）で検出される値が所定圧力（この場合、真空に近い所定の陰圧）に達したか否か判定され（Ｓ３）、所定圧力に達したと判定されると、Ｓ４に進む。
【００７３】
Ｓ４においては、図８に示すように、ポンプＤを停止させるとともに、電磁弁Ｂを閉状態として流路を閉止することにより、気相部Ｓ２及び第２区域Ｋ２が成す空間と、第１区域Ｋ１の空間とをそれぞれ閉塞状態とする。その後、図９で示すように、電磁弁Ｂの閉状態を維持しつつポンプＤを逆回転駆動（β方向の回転駆動）させる（Ｓ５）ことにより、閉塞状態の第１区域Ｋ１に空気を外部から導入させる。かかるポンプＤの駆動により、第１区域Ｋ１に対する蓄圧が行われるとともに、第１圧力検出部Ｐ１で検出される値が所定圧力に達したか否か判定され（Ｓ６）、所定圧力に達したと判定されると、Ｓ７に進む。
【００７４】
Ｓ７においては、図１０に示すように、ポンプＤを停止させるとともに、電磁弁Ｂを開状態として流路の閉止を解除することにより、気相部Ｓ２、第２区域Ｋ２及び第１区域Ｋ１が成す空間を閉塞状態とする。これにより、第１工程で第１区域Ｋ１に蓄圧された空気が気相部Ｓ２に送られることとなる。そして、電磁弁Ｂを閉状態とさせた後、液相部Ｓ１に対して任意の圧力を付与することにより、測定可能な圧力の幅（圧力レンジ）を検出し（Ｓ８）、その圧力レンジに基づいて膜部材Ｍが初期位置にあるときの気相部Ｓ２の容量を求める（Ｓ９）。
【００７５】
すなわち、圧力レンジ（ｍｍＨｇ）と膜部材Ｍが初期位置にあるときの気相部Ｓ２の容量（ｍＬ）とは、図１８に示すような関係が認められることから、この関係を用いることにより、気相部Ｓ２の容量を求めることができるのである。そして、Ｓ５、Ｓ６の空気の蓄圧状態と、Ｓ７の蓄圧した空気の解放状態との間の関係であるボイルシャルルの法則（但し、温度Ｔは一定である故、ボイルの法則となる）により、以下の演算式が成り立つので、当該演算式に基づいて第１区域Ｋ１の実際の容量を求めることができるのである。
【００７６】
Ｖｐｕｍｐ＝Ｐａｔｍ／（Ｐａｃｃｕｍ−Ｐａｔｍ）×（Ｖｐｏｄ＋Ｖａｉｒ）
（但し、Ｖｐｕｍｐは第１区域Ｋ１の実際の容量、Ｖａｉｒは圧力レンジから求められた気相部Ｓ２の容量、Ｖｐｏｄは第２区域Ｋ２の容量（設計値）、ＰａｃｃｕｍはＳ６で蓄圧された空気の圧力（所定圧力）、Ｐａｔｍは大気圧（７６０ｍｍＨｇ）を示している。）
【００７７】
また、上記演算式においては、第２区域Ｋ２の容量（Ｖｐｏｄ）が設計値であると仮定して第１区域Ｋ１の実際の容量（Ｖｐｕｍｐ）を求めているが、第１区域Ｋ１の容量（Ｖｐｕｍｐ）が設計値であると仮定して第２区域Ｋ２の実際の容量（Ｖｐｏｄ）を求めるようにしてもよい。なお、本実施形態においては、第１区域Ｋ１の容量が、第２区域Ｋ２の容量に比べて極めて大きく設定されており、その誤差の影響が大きいことから、第２区域Ｋ２の容量（Ｖｐｏｄ）が設計値であると仮定して第１区域Ｋ１の実際の容量（Ｖｐｕｍｐ）を求めるのが好ましい。
【００７８】
上記実施形態によれば、調整圧力取得部Ｅは、第１工程時の第１区域Ｋ１における圧力及び容積と第２工程時の気相部、第１区域及び第２区域における圧力及び容積との関係に基づき、第１区域Ｋ１又は第２区域Ｋ２の実際の容量を算出し得るので、膜部材Ｍを任意の初期位置とする際、第１区域Ｋ１又は第２区域Ｋ２の寸法誤差による影響を軽減することができ、精度を向上させることができる。
【００７９】
以上、本実施形態について説明したが、本発明はこれに限定されるものではなく、例えば動脈側血液回路１の先端及び静脈側血液回路２の先端を大気開放させた状態に限らず、それぞれを閉止又は先端同士を連結した状態で第１工程及び第２工程を行うようにしてもよい。その場合、演算式１及び演算式２のＰＭは液相部Ｓ１の所定の圧力値（使用時に予想される圧力）を入力する必要がある。
【００８０】
また、本実施形態においては、密着工程を経ることにより膜部材Ｍを固定して第１工程を行わせるよう構成しているが、膜部材Ｍを他の方法で固定させて密着工程を経ないものとしてもよい。さらに、本実施形態においては、調整圧力取得部Ｎで用いられる圧力及び容積の関係としてボイルシャルルの法則（ボイルの法則）に基づく関係とされているが、第１工程及び第２工程を経ることにより成り立つ他の関係を用いるようにしてもよい。
【００８１】
また、本実施形態にかかる配管部Ｋは、他端が大気開放されているが、気体を導入又は導出可能とされていれば、所定の気体（空気以外のガス含む）を収容したガス室等に接続されたものであってもよい。この場合、気相部Ｓ２、第１区域Ｋ１及び第２区域Ｋ２に対して導入又は導出する空気に代えて、他の所定の気体となる。さらに、本実施形態においては、第１圧力検出部Ｐ１にて第１区域Ｋ１の流路の圧力を検出して所定の調整圧力としているが、所定の調整圧力とするために必要なポンプＤの駆動量（ロータの回転やショット数等）を予め記憶しておき、第１工程時にポンプＤを当該駆動量にて実行させるようにしてもよい。なお、本実施形態においては、血液浄化装置における血液回路の血液の圧力を測定対象としているが、他の液体を測定対象とした圧力検出器Ｓの調整装置としてもよい。
【産業上の利用可能性】
【００８２】
ポンプ及び閉止部を制御可能であり、閉止部の閉止により第１区域を閉塞しつつポンプを駆動させて当該第１区域を所定の調整圧力とする第１工程と、閉止部の閉止を解除して気相部、第１区域及び第２区域を閉塞する第２工程とを順次実行する制御部と、第１工程時の第１区域における圧力及び容積と第２工程時の気相部、第１区域及び第２区域における圧力及び容積との関係に基づき、第１工程における調整圧力を取得する調整圧力取得部とを備え、制御部は、第１工程として、調整圧力取得部で算出された調整圧力となるようにポンプを駆動させた後、第２工程を実行することにより膜部材を任意の初期位置とし得る圧力検出器の調整装置であれば、他の形態及び用途のものにも適用することができる。
【符号の説明】
【００８３】
１  動脈側血液回路
２  静脈側血液回路
３  ダイアライザ（血液浄化器）
４  血液ポンプ
５  複式ポンプ
６  除水ポンプ
Ｌａ  透析液導入ライン
Ｌｂ  透析液排出ライン
Ｃ  ケース
Ｍ  膜部材
Ｓ  圧力検出器
Ｓ１  液相部
Ｓ２  気相部
Ｋ  配管部
Ｋ１  第１区域（配管部）
Ｋ２  第２区域（配管部）
Ｋａ  接続部（一端）
Ｋｂ  大気開放部（他端）
Ｄ  ポンプ
Ｂ  電磁弁（閉止部）
Ｐ１  第１圧力検出部
Ｐ２  第２圧力検出部
Ｅ  制御部
Ｎ  調整圧力取得部
【図１】
2019124636.tif 000003
【図２】
2019124636.tif 000004
【図３】
2019124636.tif 000005
【図４】
2019124636.tif 000006
【図５】
2019124636.tif 000007
【図６】
2019124636.tif 000008
【図７】
2019124636.tif 000009
【図８】
2019124636.tif 000010
【図９】
2019124636.tif 000011
【図１０】
2019124636.tif 000012
【図１１】
2019124636.tif 000013
【図１２】
2019124636.tif 000014
【図１３】
2019124636.tif 000015
【図１４】
2019124636.tif 000016
【図１５】
2019124636.tif 000017
【図１６】
2019124636.tif 000018
【図１７】
2019124636.tif 000019
【図１８】
2019124636.tif 000020